(57)【要約】【課題】着座者の腰を押圧する程度、および、背面板全体の後方傾斜角度を夫々簡単に調節できるようにし、椅子の使い勝手を向上させる。【解決手段】側面略Ｌ字形に形成した背フレーム２の下端を座板１下側に位置する支持基部５に枢着することで該背フレームを後方傾斜角度調節可能に支持し、背面板は上方の胸郭部１６と下方の腰部１７とからなり、該胸郭部を支持する胸郭部支持部材１８を前記背フレームに上下方向のスライドも許容されるように枢着し、前記腰部を支持する腰部支持部材１９の上端部を前記胸郭部支持部材の下端部に前後方向屈折可能に枢着し、該腰部支持部材は側面略Ｓ字状に形成し、該腰部支持部材の下端部を前記背フレームのＬ字形屈折部よりも前方部分にて該背フレームに枢着し、さらに胸郭部支持部材と腰部支持部材との枢着部付近と背フレームとを連結する間隔調節部材３５を設けてなる。【選択図】図１
2007325689.tif 000002
【特許請求の範囲】
【請求項１】
側面略Ｌ字形に形成した背フレームの下端を座板下側に位置する支持基部に枢着することで該背フレームを後方傾斜角度調節可能に支持し、背面板は上方の胸郭部と下方の腰部とからなり、該胸郭部を支持する胸郭部支持部材を前記背フレームに上下方向のスライドも許容されるように枢着し、前記腰部を支持する腰部支持部材の上端部を前記胸郭部支持部材の下端部に前後方向屈折可能に枢着し、該腰部支持部材は側面略Ｓ字状に形成し、該腰部支持部材の下端部を前記背フレームのＬ字形屈折部よりも前方部分にて該背フレームに枢着し、さらに胸郭部支持部材と腰部支持部材との枢着部付近と背フレームとを連結する間隔調節部材を設けてなることを特徴とした椅子の背もたれ構造。
【発明の詳細な説明】
【技術分野】
【０００１】
本発明は主として事務用に使用される椅子の背もたれ構造に関するものである。
【背景技術】
【０００２】
下記特許文献１に示された椅子の背もたれ構造は、図８に示したように、背フレームａが座板基部ｂに設けられた支軸ｊを支点として後方に傾動可能に支持され、該背フレームの上方部に背板の下部ｃを固定すると共に、該背フレームに連結点ｄを設け上方に伸びる制御リンクｅの下端部を該連結点ｄに枢着し、背板の上部ｆは下部ｃに対して前後方向に屈折可能とし、該上部ｆを制御リンクｅの上端部に連結手段ｇにより連結し、背フレームａと制御リンクｅとの間の距離を変化させるアジャストスクリュウのような変位手段ｈを設けてなるものであった。
【特許文献１】特開２００４−４３４号公報
【特許文献２】特開平１０−１７９３１４号公報
【特許文献３】特表平９−５０３１４４号公報
【発明の開示】
【発明が解決しようとする課題】
【０００３】
ところで、上記特許文献１に示された椅子の背もたれ構造は、その構造上、背フレームａの傾斜角度を調節すると背板の下部ｃだけでなく背板の上部ｆも前後方向に動くものであるので、下部ｃだけを位置調節したい場合に上部ｆの位置を上記変位手段ｈによって再調整する必要が生じるものであった。このため上部ｆをそのままとし下部ｃだけを位置調節したいという要望には応じられず、調整が難しくなり、好みの状態に調整するのに手間が掛かるので使い勝手が悪いという問題がある。
また、上記特許文献２に示された椅子についても構造上特許文献１に示された椅子と同様の問題がある。
一方、上記特許文献３に示された背部分割型椅子は、柔軟に形成された背面板を上方の胸郭部と下方の腰部とに分割し、夫々を独立して支持装置により座板部に支持した構造のものであるが、この構造では背面板全体を傾動させようとすると、その胸郭部と腰部との両方の支持装置を調節しなければならないので操作が面倒になるものであった。
【課題を解決するための手段】
【０００４】
本発明に係る椅子の背もたれ構造は上記課題を解決しようとするもので、側面略Ｌ字形に形成した背フレームの下端を座板下側に位置する支持基部に枢着することで該背フレームを後方傾斜角度調節可能に支持し、背面板は上方の胸郭部と下方の腰部とからなり、該胸郭部を支持する胸郭部支持部材を前記背フレームに上下方向のスライドも許容されるように枢着し、前記腰部を支持する腰部支持部材の上端部を前記胸郭部支持部材の下端部に前後方向屈折可能に枢着し、該腰部支持部材は側面略Ｓ字状に形成し、該腰部支持部材の下端部を前記背フレームのＬ字形屈折部よりも前方部分にて該背フレームに枢着し、さらに胸郭部支持部材と腰部支持部材との枢着部付近と背フレームとを連結する間隔調節部材を設けてなることを特徴とする。
【発明の効果】
【０００５】
着座者の腰を押圧する程度、および、背面板全体の後方傾斜角度を夫々簡単に調節できることから、椅子の使い勝手が著しく向上する。
【発明を実施するための最良の形態】
【０００６】
図１は本発明に係る椅子の構成を示す側面図である。図中、１は上面にクッション材が張設された座板、２は側面略Ｌ字形に形成された背フレームである。該背フレーム２は図２に背面図を示したように例えば鉄パイプ等を略Ｌ字形に折り曲げた２本のフレーム材の上端部に連結材３を溶接等により連結するとともに、Ｌ字形折曲部付近にても両フレーム材間に連結材４を溶接等により固着することにより枠状に形成したもので、該背フレーム２の下端を座板１下側に位置する支持基部５に支軸６により枢着することにより、該背フレーム２を該支軸６を支点として後方に傾斜可能になるように支持している。
【０００７】
支持基部５は脚７により支持された支柱８の上端部に水平面内で回転自在なるように設けられ、該支持基部上に座板１が支持される。なお、９は座板１の下面に固設された支持枠で、該支持枠の下面前縁部寄りに水平軸１０を横架し、該支持枠の下面後縁部寄りに水平軸１１を横架し、該水平軸１０を支持基部５の両側壁に形成された長孔１２に遊嵌するとともに、該水平軸１１を背フレーム２上に突設された軸支片１３に貫挿することにより、該座板１が該支持基部上に支持されるようにしている。
【０００８】
背面板１５は上方の胸郭部１６と下方の腰部１７とに分割され、該胸郭部１６と腰部１７の前面には夫々クッション材１６ａ、１７ａが張設されている。１８は該胸郭部１６の背面に固着され該胸郭部１６を支持する２本のフラットバーからなる胸郭部支持部材、１９は腰部１７の背面に固着され該腰部１７を背面から支持する２本のフラットバーからなる腰部支持部材である。胸郭部１６は前面が着座者の背中にフィットする緩やかな丸みを有するように少し後方に湾曲した胸郭部支持部材１８によって支持され、該胸郭部支持部材の上端部は前記背フレーム２の上端部に上下方向のスライドが許容されるように枢着する連結手段２０を介して連結されている。即ち、胸郭部支持部材の上端部に上下方向に長い長孔２１を形成するとともに、図３にも示されるように背フレーム２の上端部に前記連結材３の前面から前方に突出する一対の軸支片２２を形成し、該軸支片に支持した支軸２３を該長孔２１に遊嵌することにより、該長孔の範囲内にて上下方向にスライド可能に胸郭部支持部材１８の上端部を背フレーム２の上端部に連結している。
【０００９】
また、腰部支持部材１９は、腰部１７が着座者をその骨盤から腰に亘って押圧し得るように座板１上方にて前方に緩やかな湾曲状に形成されるとともに該座板１の後縁を避けて該座板１の下側に延長することにより、側面略Ｓ字状に形成されている。そして、該腰部支持部材１９の上端部を前記胸郭部支持部材１８の下端部に枢軸２４をもって前後方向屈折可能に枢着し、該腰部支持部材１９の下端部を背フレーム２のＬ字形屈折部よりも前方部分にて該背フレーム２に枢軸２５により枢着している。
【００１０】
３０は背フレーム２の後方傾斜角度を調節可能にするガススプリングからなる傾斜角度調節部材で、背フレーム２の前記連結材４に固着された軸支片３１に該ガススプリングの一端部を枢着し、該ガススプリングの他方の伸縮作動杆先端を支持基部５に横架された支軸３２に連結している。そして、着座者によって該傾斜角度調節部材が手動操作可能となるように、座板１の下側に操作部３３が設けられ、該操作部と該ガススプリングとをコントロールワイヤ（図示せず）により連結している。
【００１１】
また、３５は胸郭部支持部材１８と腰部支持部材１９との枢着部付近と背フレーム２とを連結するガススプリングからなる間隔調節部材で、腰部支持部材１９の上端部寄りに横架された連結材３６に軸支片３７を突設し、該軸支片に該ガススプリングの一端部を枢着し、該ガススプリングの他方の伸縮作動杆先端を前記連結材４に固着された軸支片３８に連結している。そして、着座者によって該間隔調節部材が手動操作可能となるように、座板１の下側に前記操作部３３と対称的に操作部３９が設けられ、該操作部と該ガススプリングとをコントロールワイヤ（図示せず）により連結している。
【００１２】
このように構成した椅子では、使用者が座板１に着座した状態で操作部３９を操作すると、間隔調節部材３５のガススプリングが伸長することにより、胸郭部支持部材１８と腰部支持部材１９との枢着部付近が前方に押され、胸郭部支持部材１８は連結手段２０を支点とし、腰部支持部材１９は枢軸２５を支点として前方に回転するので、図４に示したように、胸郭部１６と腰部１７とが前方に弓なりに押された状態となり、着座者の腰を押圧して骨盤を起立させることができる。そして、操作部３９から手を離すことにより、間隔調節部材３５がそのときの長さに固定されることから胸郭部１６と腰部１７とをその好みの状態で保持することができる。
【００１３】
また、着座者が操作部３３を操作し、その背中で背面板１５を後方に押すことにより傾斜角度調節部材３０のガススプリングが収縮するので、図５に示したように、該背面板１５を後傾させることができ、好みのリクライニング状態、即ち、傾斜角度になったところで、該操作部３３から手を離すことにより、傾斜角度調節部材３０がそのときの長さに固定され、その傾斜角度を保持することができる。そして、操作部３９を操作することにより、図６に示したように、間隔調節部材３５のガススプリングが伸長し、胸郭部１６と腰部１７とが前方に弓なりに押された状態となるので、その傾斜角度を保ったままで好みのリクライニング状態にある着座者の腰を押圧することができ、操作部３９から手を離すことで間隔調節部材３５がそのときの長さに固定されることから胸郭部１６と腰部１７との弓なり状態を好みの加減に固定することができる。
なお、この実施形態で示した椅子では、座板１はその後側が水平軸１１により背フレーム２上に支持されていることから、背面板１５を後傾させたときに、図５、図６に示したように、少し後傾状になり着座者が前すべりし難いようにしている。
【００１４】
この背もたれ構造は、腰部支持部材１９が側面略Ｓ字状に形成され、該腰部支持部材１９の下端部を枢軸２５によって背フレーム２のＬ字形屈折部よりも前方部分にて背フレーム２に枢着しているので、腰部１７が該枢軸２５を支点として回転したときに該腰部１７は略水平方向に前後動し、殆ど上下動しないために該腰部１７を着座者の腰に対し常に確実にフィットさせることができる。
【００１５】
このように本発明の椅子では、後方傾斜角度調節可能に支持された背フレーム２の上端部に胸郭部支持部材１８を支持しているので、背フレーム２の後方傾斜角度を変えなくとも間隔調節部材３５の設定を調節するだけで胸郭部１６と腰部１７とが前方に弓なり状となり、着座者の腰を押圧する程度を簡単に調節することができる。ちなみに、図７（Ａ）は背フレーム２が起立状態であって胸郭部１６と腰部１７を後退させた状態の椅子に座ることで着座者が少し前屈みとなって例えばパソコンのモニターを見てキーボードを操作する姿勢であり、同図（Ｂ）は背フレーム２が起立状態であって郭部１６と腰部１７が前方に弓なり状となることで着座者の腰が押圧された状態を示す。図７の（Ａ）と（Ｂ）とを比較することで分かるように、着座者の胸郭部と頭の高さは略々一定に保たれてキーボードを操作に支障がない状態を保持したままで、その着座者の腰を押圧する程度だけを間隔調節部材３５の設定によって簡単に調節することができる。このため、着座者の腰が常に適度な押圧状態に保たれ、着座者の体全体がバックアップされることにより、長時間の事務作業でも疲労の程度を著しく軽減させることができる。
【００１６】
また、傾斜角度調節部材３０を操作し、背フレーム２の後方傾斜角度を変えれば、着座者の腰を押圧する程度が好みの状態に保持されたままで、図５、図６に示したように、背面板全体の後方傾斜角度が自由に調節されてリクライニング状態となり、リラックスできる態勢になる。このため本発明の椅子は、常に使用者の好みの状態に簡単に設定することができ、使い勝手が非常に優れたものとなる。
【００１７】
なおこの実施形態では、胸郭部１６と腰部１７とは夫々別体に形成したが、胸郭部１６と腰部１７、および、そのクッション材１６ａとクッション材１７ａとは一体であって屈折可能に形成したものとしてもよい。
また、この実施形態では、胸郭部１６とその支持部材１８とを別体に形成し、腰部１７とその支持部材１９についても別体に形成したが、胸郭部１６に胸郭部支持部材１８を一体に形成しても、腰部１７に腰部支持部材１９を一体に形成してもよい。また、これらの構成部材は、上記実施形態に限らず、鉄、アルミ、プラスチック等の適宜材料により成形することができる。
また、背面板１５や支持基部５にカバー（図示せず）を設け、背フレーム２、連結手段２０、傾斜角度調節部材３０、間隔調節部材３５等を覆うこともできる。
また、上記連結手段２０は、長孔２１を設けることにより胸郭部支持部材１８の上下方向スライドが許容されるように枢着したが、長孔に限らずスライドレール、或いはリンクを介して連結するなど、その他の実施形態を採ることができ、要するにこの連結手段２０により背フレームに対し胸郭部支持部材をスライド可能に枢着すればよい。
また、この実施形態ではガススプリングを傾斜角度調節部材３０および間隔調節部材３５として用いたが、スクリュウネジやカム等、その他の機械的手段を使用することもできる。
【図面の簡単な説明】
【００１８】
【図１】本発明の実施形態を示す椅子の側面図。
【図２】本発明の実施形態を示す椅子の背もたれの背面図。
【図３】本発明の実施形態を示す椅子の背もたれの平面図。
【図４】図１に示した椅子の作動状態図。
【図５】図１に示した椅子の作動状態図。
【図６】図１に示した椅子の作動状態図。
【図７】本発明に係る椅子の使用状態を示した側面図。
【図８】従来の椅子の背もたれ構造を示す縦断面側面図。
【符号の説明】
【００１９】
１      座板
２      背フレーム
５      支持基部
６      支軸
１５    背面板
１６    胸郭部
１７    腰部
１８    胸郭部支持部材
１９    腰部支持部材
２０    連結手段
２１    長孔
２３    支軸
２４    枢軸
２５    枢軸
３０    傾斜角度調節部材
３３    操作部
３５    間隔調節部材
３９    操作部
【図１】
2007325689.tif 000003
【図２】
2007325689.tif 000004
【図３】
2007325689.tif 000005
【図４】
2007325689.tif 000006
【図５】
2007325689.tif 000007
【図６】
2007325689.tif 000008
【図７】
2007325689.tif 000009
【図８】
2007325689.tif 000010